(57)【要約】【課題】りん本体にりん台とりん棒が磁力にて一体化され、取り扱いに便利で、載置スペースが小さいおりんの提供を目的とする。【解決手段】上部が開口し外側底面中央部に平面部を有するお椀状の非磁性材からなるりん本体と、当該りん本体を載置するりん台と、りん本体の内底面に起立可能なりん棒とを備え、りん本体は底部に磁石を有し、りん台はりん本体の載置面側にりん台強磁性材を有し、りん棒は起立面側にりん棒強磁性材を有し、前記磁石とりん棒強磁性材との間の磁力をりん本体をりん台に磁着したままりん棒を引き離すことができる強さに設定したことを特徴とする。【選択図】  図１
0003167645.tif 000002
【実用新案登録請求の範囲】
【請求項１】
上部が開口し外側底面中央部に平面部を有するお椀状の非磁性材からなるりん本体と、当該りん本体を載置するりん台と、りん本体の内底面に起立可能なりん棒とを備え、
りん本体は底部に磁石を有し、りん台はりん本体の載置面側にりん台強磁性材を有し、りん棒は起立面側にりん棒強磁性材を有し、
前記磁石とりん棒強磁性材との間の磁力をりん本体をりん台に磁着したままりん棒を引き離すことができる強さに設定したことを特徴とするおりん。
【請求項２】
前記りん本体は磁石が外部から見えないように当該磁石を底部に埋設したことを特徴とする請求項１記載のおりん。
【請求項３】
りん本体の磁石とりん台強磁性材との間の磁力はりん本体を持ち上げると、りん台も共に持ち上がる強さであることを特徴とする請求項１又は２記載のおりん。
【請求項４】
前記りん棒は把持部と打撃部とを有し、りん台強磁性材を打撃部の内側に設けた収容部に取り付け、打撃部の先端部が起立する立設部となり、当該立設部とりん台強磁性材との間に空間部を形成することで、りん台強磁性材とりん本体の磁石との間の磁力を調整したことを特徴とする請求項１〜３のいずれかに記載のおりん。
【請求項５】
りん台のりん本体載置面にりん台強磁性材を覆うように軟質材を重ね合せたことを特徴とする請求項１〜４のいずれかに記載のおりん。
【考案の詳細な説明】
【技術分野】
【０００１】
本考案は仏壇にお参りする際に打ち鳴らすおりん（仏りん）に関する。
【背景技術】
【０００２】
従来のおりんは、りん本体をりん座布団の上に載せた状態でりん座布団とともに仏壇の壇上に置かれ、りん座布団の側に置かれているりん棒でりん本体を打ち鳴らすタイプのものであった。
しかし、近年都市部等において住環境の制限もあり、仏壇が小型化されている。
これに伴い、仏具の小型化が要求され、おりんも載置スペースが小さく、取り扱いやすいものが要求されている。
従来のりん座布団では小型化に限界があり、またりん棒の載置スペースが無く、りん棒が転がりやすい問題があった。
【０００３】
特許文献１は、おりんの外側底面を球面にし、このおりんの底面の孔に磁石を充填し、りん台に設けた磁性部材との間に磁力を働かせながら、揺動するようにしたおりんを開示する。
従って、同公報に開示するおりんはりん本体の揺らぎを目的とし、りん本体とりん台を一体的に磁着できるものではない。
特許文献２，３はりん本体の外側底面を球面にし、りん本体の内側底部に磁石球、又は金属球を置いてりん台との間に磁力を働かせるおりんを開示するが、これも特許文献１と同じ目的、作用を示すに過ぎない。
特許文献４は自立型の打棒を開示するが、りん本体との磁力による一体化を図ったものではない。
【先行技術文献】
【特許文献】
【０００４】
【特許文献１】特開２００９−１５３５６５号公報
【特許文献２】特開２００７−１５９７８７号公報
【特許文献３】特開２００５−２１１４３７号公報
【特許文献４】特開２００６−１６７４４２号公報
【考案の開示】
【考案が解決しようとする課題】
【０００５】
本考案は、りん本体にりん台とりん棒が磁力にて一体化され、取り扱いに便利で、載置スペースが小さいおりんの提供を目的とする。
【課題を解決するための手段】
【０００６】
本考案に係るおりんは、上部が開口し外側底面中央部に平面部を有するお椀状の非磁性材からなるりん本体と、当該りん本体を載置するりん台と、りん本体の内底面に起立可能なりん棒とを備え、りん本体は底部に磁石を有し、りん台はりん本体の載置面側にりん台強磁性材を有し、りん棒は起立面側にりん棒強磁性材を有し、前記磁石とりん棒強磁性材との間の磁力をりん本体をりん台に磁着したままりん棒を引き離すことができる強さに設定したことを特徴とする。
このような構成のりんであっては、りん台の上に磁力で保持するようにりん本体を載置し、このりん本体の内側にりん棒を磁力にて起立保持できるので、小型の仏壇であっても小さなスペースに置いておくことができる。
りん棒とりん本体との間の磁力は、りん棒を持ち上げたときにりん本体がりん台から離れないような弱い力に設定したので、りん棒を持ち上げるようにりん本体から引き離して使用できる。
また、りん本体はりん台に磁力にて引き寄せ保持されているので、りん本体が移動することもない。
また、りん本体が磁力にてりん台に保持されているだけなので、りん棒でりん本体を打りんした際に音がすんでいる。
【０００７】
ここで、りん本体は磁石が外部から見えないように当該磁石を底部に埋設した状態になっていると、外部から磁石が見えずに意匠性に優れ、仏具としての厳かさがでる。
【０００８】
りん本体の磁石とりん台強磁性材との間の磁力はりん本体を持ち上げると、りん台も共に持ち上がる強さであるようにすると、りん本体を持って移動する際にそのままりん台がりん本体の下部に磁力吸着した状態に保持されるので、取り扱いがさらに容易になる。
【０００９】
りん棒とりん本体との間の磁力がりん棒を持ち上げる際にりん本体がくっついてこない程度に調整されていれば、りん棒への強磁性材の取り付け方に制限はないが、りん棒は把持部と打撃部とを有し、りん台強磁性材を打撃部の内側に設けた収容部に取り付け、打撃部の先端部が起立する立設部となり、当該立設部とりん台強磁性材との間に空間部を形成することで、りん台強磁性材とりん本体の磁石との間の磁力を調整するのが容易である。
また、りん台の表面からりん台強磁性が露出していてもよいが、りん台のりん本体載置面にりん台強磁性材を覆うように軟質材を重ね合せてあると、りん本体の振動が強磁性材に妨げられることなく好ましい。
軟質材はフェルト、不織布、布等であってよい。
【考案の効果】
【００１０】
本考案に係るおりんは、りん本体の内側にりん棒を磁力で起立させ、りん本体をりん台に磁力で保持させたので、この３つの部品を一体的に取り扱うことができる。
りん本体とりん台との間の磁力はりん本体を持ち上げるとそのまま底面にりん台がくっついてくる強さであればりん本体を持っただけで移動できる。
また、りん棒とりん本体との間の磁力が相対的に弱いので、りん棒を持ち上げるだけで、りん棒をりん本体から引き離すことができ、使用後はりん棒を磁力にてりん本体の内側に起立させることができる。
【図面の簡単な説明】
【００１１】
【図１】おりんの断面図を示す。
【図２】おりんの部品構成図を示す。
【図３】りん棒の構造例を示す。
【考案を実施するための最良の形態】
【００１２】
本考案に係るおりんの構造例を図面に基づいて以下説明する。
おりん１００は、りん本体１０とこのりん本体を載置するりん台２０とりん本体１０の内側の内底面１２に起立するりん棒３０とからなる。
りん本体１０は黄銅、青銅、沙張等の非磁性材からなり、上部が開口した開口部１１を有し、外底面１３は中央部に概ね平坦な平面部を有するお椀状である。
りん本体１０の底部には外部から見えないように磁石（永久磁石）１４を肉厚内部に埋設した。
本実施例はりん本体の内側の内底面１２も概ね平面状になっているが、りん棒３０を起立できる範囲で緩やかな凹曲面であってよい。
【００１３】
りん台２０はりん本体を載置するものであり、上面と下面に平面部があれば形状に特に限定はない。
本実施例は基材２１の上面側に鉄、コバルト、ニッケル等の強磁性材からなるりん台強磁性材２４を凹部に嵌め込み、その上にフェルト、不織布、布等の軟質材２２を貼り合わせた。
軟質材２２はりん本体１０を載置し、りん棒３０でりん本体を打ち鳴らした際にりん本体の振動の余韻が長く、清音になる作用がある。
また、本実施例は、りん台の基材２１を黄銅、青銅等の金属で製作し、底面にすべり止め、キズ防止用の底面材２３を貼り付けた例になっている。
底面材２３は仏壇等にキズが付かなく、滑り止め効果のあるものであれば布、ゴム材等材質に制限はない。
またこの底面材２３は必ずしも必要としない。
【００１４】
りん棒３０は図３に分解図を示すように打撃部３２に把持部（棒状体）３１を連結した構造になっていて、把持部３１の先端側におねじ部３３を形成し、このおねじ部３３を樹脂製又は黒檀等の木製の打撃部３２の上下方向の貫通孔３２ｂに挿通し、打撃部３２の内側に設けた収容部３２ａにめねじ部３４ａを有する強磁性材（りん棒強磁性材）３４を螺着する。
めねじ部の挿入深さは把持部３１に設けたつば部３３ａと打撃部３２の端面３２ｃとの当接により定まる。
本実施例はりん棒強磁性材３４のめねじ部３４ａの長さ（深さ）を調整することで、図１に示すようにりん棒３０の打撃部先端の立設部３５とりん棒強磁性材３４との間に隙間ｄを形成し、空間部３６の大きさで磁石１４との間の磁力の強さを調整した。
なお、立設部３５は図３（ｂ）に示すように底面視で平らな円形状の水平面になっている。
【００１５】
本考案に係るおりんは、りん本体に埋設した磁石１４とりん台２０に取り付けたりん台磁性材２４との磁力がりん本体１０を持ち上げてもりん台２０が離れない強さを有し、りん棒３０の把持部のみを持ってりん棒３０を持ち上げると、容易にりん棒３０がりん本体１０から離れるように磁石１４とりん棒強磁性材３４との間の磁力を調整してある。
これにより、仏壇の壇上等に通常は図２（ｂ）に示すように置いておくことができる。
【符号の説明】
【００１６】
１０      りん本体
１１      開口部
１２      内底部
１３      外底部
１４      磁石
２０      りん台
２１      基材
２２      軟質材
２３      底面材
２４      りん台強磁性材
３０      りん棒
３１      把持部
３２      打撃部
３３      連結部
３４      りん棒強磁性材
３５      立設部
３６      空間部
１００    おりん
【図１】
0003167645.tif 000003
【図２】
0003167645.tif 000004
【図３】
0003167645.tif 000005